【手続補正書】
【提出日】平成25年9月12日(2013.9.12)
【手続補正１】
【補正対象書類名】明細書
【補正対象項目名】０００６
【補正方法】変更
【補正の内容】
【０００６】
前記目的を果たすため、本発明の表示装置の一態様は、カラー画像を表示する表示装置であって、赤、緑、青の三色の画素は、複数行及び複数列に配列され、且つ、行毎に、前記三色の画素のうちの、二つの赤色画素と二つの緑色画素と一つの青色画素とは、同色の画素同士が隣り合わないように所定の順で並んだ配列順の繰り返しで配置されている、ことを特徴とする。
【手続補正２】
【補正対象書類名】明細書
【補正対象項目名】０００７
【補正方法】変更
【補正の内容】
【０００７】
また、前記目的を果たすため、本発明の表示装置の一態様は、カラー画像を表示する表示装置であって、赤、緑、青の三色の画素は、複数行及び複数列に配列され、且つ、行毎に、前記三色の画素のうちの、二つの赤色画素と二つの緑色画素と一つの青色画素とは、同色の画素同士が隣り合わないように所定の順で並んだ配列順の繰り返しで配置されている、表示素子と、前記各赤色画素に赤の階調データに対応した電圧値のデータ信号を印加し、前記各緑色画素に緑の階調データに対応した電圧値のデータ信号を印加し、前記各青色画素に青の階調データを所定の条件で補正した補正階調データに対応した電圧値のデータ信号を印加する駆動手段と、を備え、前記所定の順で並んだ二つの赤色画素と二つの緑色画素と一つの青色画素とにより二座標分のカラードットを表現する、ことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００３２
【補正方法】変更
【補正の内容】
【００３２】
第一基板２と第二基板３は、第一基板２の画素電極６及び第一配向膜１７が形成された面と、第二基板３の共通電極２０及び第二配向膜２１が形成された面と、を所定の間隙をおいて対向させて配置され、画面エリア１ａを囲む枠状のシール材４を介して貼り合わされている。そして、これらの第一基板２と第二基板３との間の間隙のシール材４で囲まれた領域に液晶が充填されて液晶層５が形成されている。
【手続補正１３】
【補正対象書類名】明細書
【補正対象項目名】００４５
【補正方法】変更
【補正の内容】
【００４５】
また、前記液晶表示素子１の背後（表示面側とは反対側）には、図２のように、液晶表示素子１の画面エリア１ａの全域に向けて均一な照度の光を照射するバックライト２５が配置されている。
【手続補正１４】
【補正対象書類名】明細書
【補正対象項目名】００７６
【補正方法】変更
【補正の内容】
【００７６】
すなわち、前記駆動手段２８は、液晶表示素子１の各画素行の所定の順で並んだ二つの赤色画素Ｒ，Ｒと二つの緑色画素Ｇ，Ｇと一つの青色画素Ｂのうち、第一の緑色画素（図５においてカラードット表現領域Ａの左端の画素）Ｇに、前記走査線方向の隣り合う二つの座標点のうちの一方の座標点の緑の階調データに対応した電圧値のデータ信号を印加し、第二の緑色画素（図５においてカラードット表現領域Ａの左端から四つ目の画素）Ｇに、前記二つの座標点のうちの他方の座標点の緑の階調データに対応した電圧値のデータ信号を印加し、第一の赤色画素（図５においてカラードット表現領域Ａの左端から三つ目の画素）Ｒに、前記一方の座標点の赤の階調データに対応した電圧値のデータ信号を印加し、第二の赤色画素（図５においてカラードット表現領域Ａの右端の画素）Ｒに、前記他方の座標点の赤の階調データに対応した電圧値のデータ信号を印加し、青色画素Ｂに、前記一方の座標点の青の階調データと前記他方の座標点の青の階調データとから所定の条件により求めた前記補正階調データに対応した電圧値のデータ信号を印加する。
【手続補正１５】
【補正対象書類名】明細書
【補正対象項目名】００８０
【補正方法】変更
【補正の内容】
【００８０】
そのため、青色画素Ｂに、画像データの走査線方向の隣り合う二つの座標点のうちの何れか一方の座標点の青の階調データをそのまま印加したのでは、赤色画素Ｒ，Ｒにより表示される赤の輝点と緑色画素Ｇ，Ｇにより表示される緑の輝点に対して、青色画素Ｂにより表示される青の輝点の輝度が弱くなり、黄色味を帯びたカラードットが表示される。
【手続補正１６】
【補正対象書類名】明細書
【補正対象項目名】００８２
【補正方法】変更
【補正の内容】
【００８２】
上記実施例では、カラードット表現領域Ａの第一の赤色画素Ｒに、前記走査線方向の隣り合う二つの座標点のうちの一方の座標点の赤の階調データに対応した電圧値のデータ信号を印加し、第二の赤色画素Ｒに、前記二つの座標点のうちの他方の座標点の赤の階調データに対応した電圧値のデータ信号を印加し、第一の緑色画素Ｇに、前記一方の座標点の緑の階調データに対応した電圧値のデータ信号を印加し、第二の緑色画素Ｇに、前記他方の座標点の緑の階調データに対応した電圧値のデータ信号を印加し、青色画素Ｂに、前記一方の座標点の青の階調データと前記他方の座標点の青の階調データとから所定の条件により求めた前記補正階調データに対応した電圧値のデータ信号を印加するようにしているため、青の輝点の輝度の弱さを補うことができる。
【手続補正１７】
【補正対象書類名】明細書
【補正対象項目名】０１０５
【補正方法】変更
【補正の内容】
【０１０５】
なお、実施例の液晶表示素子１は、各画素Ｒ，Ｇ，Ｂの横幅を通常の液晶表示素子よりも広くしたものであるが、画素電極６に対するＴＦＴ７の配置位置及び該ＴＦＴ７の平面積と、走査信号線１３及びデータ信号線１４の線幅と、画素電極６と走査信号線１３との間隔と、画素電極６とデータ信号線１４との間隔と、画素電極６と容量電極１６との重なり幅は、何れも通常の液晶表示素子と同じである。
【手続補正１８】
【補正対象書類名】明細書
【補正対象項目名】０１１６
【補正方法】変更
【補正の内容】
【０１１６】
その場合も、赤、緑、青の各色の画素Ｒ，Ｇ，Ｂを、同色の画素同士が隣り合わないような配列順で配置することにより、赤、緑、青の輝点がバランス良く分布した色混ざりの良いカラードットを表現し、高品位のカラー画像を表示することができる。
【手続補正１９】
【補正対象書類名】特許請求の範囲
【補正対象項目名】全文
【補正方法】変更
【補正の内容】
【特許請求の範囲】
【請求項１】
カラー画像を表示する表示装置であって、
赤、緑、青の三色の画素は、複数行及び複数列に配列され、且つ、行毎に、前記三色の画素のうちの、二つの赤色画素と二つの緑色画素と一つの青色画素とは、同色の画素同士が隣り合わないように所定の順で並んだ配列順の繰り返しで配置されている、
ことを特徴とする表示装置。
【請求項２】
前記二つの赤色画素と二つの緑色画素と一つの青色画素とは、緑色画素、青色画素、赤色画素、緑色画素、赤色画素の順で並んでいることを特徴とする請求項１に記載の表示装置。
【請求項３】
前記二つの赤色画素と二つの緑色画素と一つの青色画素とは、赤色画素、青色画素、緑色画素、赤色画素、緑色画素の順で並んでいることを特徴とする請求項１に記載の表示装置。
【請求項４】
前記三色の画素は、同じ形状及び面積を有しており、前記行方向に一定のピッチで配置されていることを特徴とする請求項１〜３の何れかに記載の表示装置。
【請求項５】
カラー画像を表示する表示装置であって、
赤、緑、青の三色の画素は、複数行及び複数列に配列され、且つ、行毎に、前記三色の画素のうちの、二つの赤色画素と二つの緑色画素と一つの青色画素とは、同色の画素同士が隣り合わないように所定の順で並んだ配列順の繰り返しで配置されている、表示素子と、
前記各赤色画素に赤の階調データに対応した電圧値のデータ信号を印加し、前記各緑色画素に緑の階調データに対応した電圧値のデータ信号を印加し、前記各青色画素に青の階調データを所定の条件で補正した補正階調データに対応した電圧値のデータ信号を印加する駆動手段と、
を備え、
前記所定の順で並んだ二つの赤色画素と二つの緑色画素と一つの青色画素とにより二座標分のカラードットを表現する、
ことを特徴とする表示装置。
【請求項６】
前記駆動手段は、
表示するカラー画像の走査線方向の各座標点の色情報それぞれが赤、緑、青の三色の階調データを含む画像データを供給され、
前記所定の順で並んだ二つの赤色画素と二つの緑色画素と一つの青色画素とのうちの、
第一の赤色画素に前記走査線方向の隣り合う二つの座標点のうちの一方の座標点の赤の階調データに対応した電圧値のデータ信号を印加し、
第二の赤色画素に前記二つの座標点のうちの他方の座標点の赤の階調データに対応した電圧値のデータ信号を印加し、
第一の緑色画素に前記一方の座標点の緑の階調データに対応した電圧値のデータ信号を印加し、
第二の緑色画素に前記他方の座標点の緑の階調データに対応した電圧値のデータ信号を印加し、
前記青色画素に前記一方の座標点の青の階調データと前記他方の座標点の青の階調データとから所定の条件により求めた前記補正階調データに対応した電圧値のデータ信号を印加することを特徴とする請求項５に記載の表示装置。
【請求項７】
前記表示素子は液晶表示素子であり、
前記駆動手段は、前記青色画素に、前記一方の座標点の青の階調データに対応した透過率と、前記他方の座標点の青の階調データに対応した透過率と、の平均透過率が得られる電圧値のデータ信号を印加することを特徴とする請求項６に記載の表示装置。
【請求項８】
前記駆動手段は、前記青色画素の前記一方の座標点の青の階調データに対応した透過率と、前記青色画素の前記他方の座標点の青の階調データに対応した透過率と、を平均した平均透過率から前記補正階調データを求め、前記補正階調データに対応した電圧値のデータ信号を前記青色画素に印加することを特徴とする請求項７に記載の表示装置。
【請求項９】
前記液晶表示素子の背後に、白色光に対して赤と緑との波長域の光強度を低くした分光分布の光を前記液晶表示素子に向けて照射するバックライトが配置されていることを特徴とする請求項８に記載の表示装置。
【請求項１０】
前記表示素子はノーマリーブラックモードの液晶表示素子であり、
前記液晶表示素子の背後に、白色光を前記液晶表示素子に向けて照射するバックライトが配置され、
前記駆動手段は、前記青色画素に、前記一方の座標点の青の階調データに対応した電圧値のデータ信号を印加したときの透過率と、前記他方の座標点の青の階調データに対応した電圧値のデータ信号を印加したときの透過率と、の平均透過率に対応した電圧を所定の比率で高くした電圧値のデータ信号を印加することを特徴とする請求項６に記載の表示装置。
【請求項１１】
前記表示素子は有機ＥＬ表示素子またはプラズマ表示素子であり、
前記駆動手段は、前記青色画素に、前記一方の座標点の青の階調データに対応した電圧値のデータ信号を印加したときの輝度と、前記他方の座標点の青の階調データに対応した電圧値のデータ信号を印加したときの輝度と、の平均輝度に対応した電圧を所定の比率で高くした電圧値のデータ信号を印加することを特徴とする請求項６に記載の表示装置。